(57)【要約】【課題】      待受け画像として登録されたウェブページの表示画像を適宜更新して行くことができる移動体通信端末、待受け画像更新方法、及びプログラムを提供する。【解決手段】  移動体通信端末は、待受け画面として登録するウェブページのコンテンツデータにキャッシュ保持時間の記述があるか否かを判別し、記述がある場合には、キャッシュ保持時間と現在の時刻とに基づいて、待受け画面の更新時刻を求める。そして、更新時刻になると、ウェブサーバから更新されたウェブページのコンテンツデータを再度取得し、待受け画面メモリに登録することによって、待受け画面を更新する。これにより、移動体通信端末は、待受け画面として登録したウェブページを適宜更新して行くことができる。【選択図】    図７
2006163935.tif 000002
【特許請求の範囲】
【請求項１】
ネットワークを介して取得したウェブページの表示画像を待受け画像として登録する待受け画像登録手段と、
前記待受け画像の登録後の所定のタイミングにおいて、前記ウェブページの表示画像を再度取得し、前記待受け画像登録手段によって登録された該待受け画像を更新する待受け画像更新手段と、
を備える移動体通信端末。
【請求項２】
前記待受け画像登録手段は、
前記ウェブページに有効期限が付されているか否かを判別する有効期限判別手段と、
前記有効期限判別手段によってウェブページに有効期限が付されているものと判別された場合、該有効期限に基づいて、前記所定のタイミングを算出する更新タイミング算出手段と、
を含む、ことを特徴とする請求項１に記載の移動体通信端末。
【請求項３】
前記更新タイミング算出手段は、
前記待受け画像の登録後、前記有効期限後のタイミングを前記所定のタイミングとして算出する、
ことを特徴とする請求項２に記載の移動体通信端末。
【請求項４】
ユーザにより選択された更新方式に従って、前記所定のタイミングを設定する更新タイミング設定手段をさらに備え、
前記更新タイミング設定手段は、
複数種類ある更新方式のうちから第１の更新方式が選択された場合、前記更新タイミング算出手段により算出されたタイミングを前記所定のタイミングとして設定し、
前記第１の更新方式とは異なる第２の更新方式が選択された場合、ユーザにより指定されたタイミングを前記所定のタイミングとして設定する、
ことを特徴とする請求項２又は３に記載の移動体通信端末。
【請求項５】
前記更新タイミング設定手段は、
前記有効期限判別手段によってウェブページに有効期限が付されているものと判別された場合、前記ユーザにより指定されたタイミングを前記所定のタイミングとして設定する、
ことを特徴とする請求項４に記載の移動体通信端末。
【請求項６】
前記更新タイミング設定手段は、
前記第１及び第２の更新方式とは異なる第３の更新方式が選択された場合、前記待受け画像更新手段による前記待受け画像の更新を規制する更新規制手段を含む、
ことを特徴とする請求項４又は５に記載の移動体通信端末。
【請求項７】
ネットワークを介して取得したウェブページの表示画像を待受け画像として登録する待受け画像登録工程と、
前記待受け画像の登録後の所定のタイミングにおいて、前記ウェブページの表示画像を再度取得し、前記待受け画像登録工程によって登録された該待受け画像を更新する待受け画像更新工程と、
を備える待受け画像更新方法。
【請求項８】
コンピュータに、
ネットワークを介して取得したウェブページの表示画像を待受け画像として登録する待受け画像登録手順と、
前記待受け画像の登録後の所定のタイミングにおいて、前記ウェブページの表示画像を再度取得し、前記待受け画像登録手順によって登録された該待受け画像を更新する待受け画像更新手順と、
を実行させるためのプログラム。
【発明の詳細な説明】
【技術分野】
【０００１】
本発明は、移動体通信端末、待受け画像更新方法、及びプログラムに関し、特に、待受け画像として登録されたウェブページの表示画像を適宜更新して行くことができる移動体通信端末、待受け画像更新方法、及びプログラムに関する。
【背景技術】
【０００２】
近年、携帯電話などの移動体通信端末は、単なる電話としての通話機能だけでなく、インターネット接続機能やメール送信機能を備えたものが主流となっている。係るインターネット接続機能やメール機能の持たせたことに伴って、ウェブページやメールの文章が見やすくなるように、移動体通信端末の表示画面の面積は、従来のものに比して、大きなものとなっている。
【０００３】
このような移動体通信端末には、通常、待受け画像が設定されており、通話等の待受け時には、この待受け画像が画面に表示される。係る待受け画像には、予め移動体通信端末に組み込まれている画像の他、インターネットを介して取得したウェブページの表示画像が設定されるものもある。
【０００４】
係るウェブページは、通常、所定期間毎に更新されて行くものである。このため、待受け画像を常に最新のものにしようとするならば、ウェブページの更新に合わせて、その表示画像を順次取得して待受け画像を更新して行く必要がある。
【０００５】
このように、ウェブページの更新に合わせてウェブページから取得したデータを更新して行く技術としては、予め設定された更新スケジュールに従って、情報源となるウェブページを参照して対象データを更新して行く技術等が既に開示されている（例えば特許文献１参照）。
【特許文献１】特開２００１−２８２６０８号公報
【発明の開示】
【発明が解決しようとする課題】
【０００６】
しかしながら、特許文献１に開示された技術では、更新スケジュールが予め設定されているため、例えば更新スケジュールとして設定された更新周期が、ウェブページの有効期間よりも長い場合等には、対象データをリアルタイムで更新することができなかった。
【０００７】
本発明は、上記実状に鑑みてなされたものであり、待受け画像として登録されたウェブページの表示画像を適宜更新して行くことができる移動体通信端末、待受け画像更新方法、及びプログラムを提供することを目的とする。
【課題を解決するための手段】
【０００８】
上記目的を達成するため、本発明の第１の観点にかかる移動体通信端末は、ネットワークを介して取得したウェブページの表示画像を待受け画像として登録する待受け画像登録手段と、前記待受け画像の登録後の所定のタイミングにおいて、前記ウェブページの表示画像を再度取得し、前記待受け画像登録手段によって登録された該待受け画像を更新する待受け画像更新手段と、を備える。
【０００９】
また、上記移動体通信端末において、前記待受け画像登録手段は、前記ウェブページに有効期限が付されているか否かを判別する有効期限判別手段と、前記有効期限判別手段によってウェブページに有効期限が付されているものと判別された場合、該有効期限に基づいて、前記所定のタイミングを算出する更新タイミング算出手段と、を含んでもよい。
【００１０】
さらに、上記移動体通信端末において、前記更新タイミング算出手段は、前記待受け画像の登録後、前記有効期限後のタイミングを前記所定のタイミングとして算出してもよい。
【００１１】
また、上記移動体通信端末において、ユーザにより選択された更新方式に従って、前記所定のタイミングを設定する更新タイミング設定手段をさらに備え、前記更新タイミング設定手段は、複数種類ある更新方式のうちから第１の更新方式が選択された場合、前記更新タイミング算出手段により算出されたタイミングを前記所定のタイミングとして設定し、前記第１の更新方式とは異なる第２の更新方式が選択された場合、ユーザにより指定されたタイミングを前記所定のタイミングとして設定してもよい。
【００１２】
さらに、上記移動体通信端末において、前記更新タイミング設定手段は、前記有効期限判別手段によってウェブページに有効期限が付されているものと判別された場合、前記ユーザにより指定されたタイミングを前記所定のタイミングとして設定してもよい。
【００１３】
また、上記移動体通信端末において、前記更新タイミング設定手段は、前記第１及び第２の更新方式とは異なる第３の更新方式が選択された場合、前記待受け画像更新手段による前記待受け画像の更新を規制する更新規制手段を含んでもよい。
【００１４】
さらに、上記目的を達成するため、本発明の第２の観点にかかる待受け画像更新方法は、ネットワークを介して取得したウェブページの表示画像を待受け画像として登録する待受け画像登録工程と、前記待受け画像の登録後の所定のタイミングにおいて、前記ウェブページの表示画像を再度取得し、前記待受け画像登録工程によって登録された該待受け画像を更新する待受け画像更新工程と、を備える。
【００１５】
さらに、上記目的を達成するため、本発明の第３の観点にかかるプログラムは、コンピュータに、ネットワークを介して取得したウェブページの表示画像を待受け画像として登録する待受け画像登録手順と、前記待受け画像の登録後の所定のタイミングにおいて、前記ウェブページの表示画像を再度取得し、前記待受け画像登録手順によって登録された該待受け画像を更新する待受け画像更新手順と、を実行させる。
【発明の効果】
【００１６】
本発明によれば、待受け画像として登録されたウェブページの表示画像を適宜更新して行くことができる移動体通信端末、待受け画像更新方法、及びプログラムを提供することができる。
【発明を実施するための最良の形態】
【００１７】
以下、本発明を実施するための最良の形態を詳細に説明する。
【００１８】
図１は、本発明の実施形態に係る移動体通信端末を中心としたシステム構成を示すブロック図である。なお、図１には、ネットワークＮ及びウェブサーバＳも示されている。
【００１９】
移動体通信端末１は、携帯電話やＰＨＳ（Personal Handyphone System）等といった移動体通信用の端末装置（電話機）であって、基地局（図示せず）を介して他の移動体通信端末１との間での無線通話を可能ならしめる機能（無線通話機能）を有するものである。また、本実施形態の移動体通信端末１は、係る無線通話機能に加えて、基地局及びネットワークＮを介してウェブサーバＳが提供するウェブページＰのブラウジングを可能ならしめる機能（ブラウジング機能）を有している。
【００２０】
まず、係る移動体通信端末１の具体的構成について説明する。
【００２１】
図２は、移動体通信端末１の外観を示す模式図である。図２に示すように、移動体通信端末１は、その外面に、アンテナ２と、操作部３と、表示部４と、スピーカ５と、マイクロフォン６と、を備えている。
【００２２】
アンテナ２は、移動体通信端末１の外部から入力される電磁波をアナログ信号に変換すると共に、送信信号を電磁波に変換して空中に放射するものである。
【００２３】
操作部３は、例えば十字カーソルキーや、数字や文字を入力するための英数字キー、機能などを指定するためのボタン等から構成され、ユーザによって操作されるものである。
【００２４】
表示部４は、例えば液晶表示装置（ＬＣＤ：Liquid Crystal Display）等から構成され、移動体通信端末１による種々の動作を実行するための画像等を表示するものである。
【００２５】
スピーカ５は、音声通話における着話音声や、着信音などを出力するものである。マイクロフォン６は、音声通話時のユーザの発話音声を入力するものである。
【００２６】
図３は、移動体通信端末１内部の構成を示すブロック図である。図３に示すように、移動体通信端末１の内部は、制御部１０と、通信部２０と、操作イベント解析部３０と、画像生成部４０と、音声出力部５０と、音声入力部６０と、記憶部７０と、ウェブページ更新部８０と、更新時間算出部８１と、更新属性テーブル８２と、から構成されている。
【００２７】
制御部１０は、例えばＣＰＵ（Central Processing Unit）、ＲＯＭ（Read Only Memory）、及びＲＡＭ（Random Access Memory）等から構成されており、ＣＰＵがＲＯＭ等に記憶されている各種プログラムを適宜実行することによって、移動体通信端末１の各部の動作を制御する。なお、ＲＡＭは、ＣＰＵがプログラムを実行する際、ワークメモリとして用いられるものである。
【００２８】
通信部２０は、ＣＤＭＡ（Code Division Multiple Access）無線部２１と、受信部２２と、送信部２３と、ウェブブラウザ２４と、から構成されている。
【００２９】
ＣＤＭＡ無線部２１は、アンテナ２から供給されるアナログ信号をダウンコンバートした後、アナログ信号に対して直交復調処理やＡ／Ｄ（Analog-Digital）変換処理を施すなどしてチップレートのデジタル信号を生成し、これを受信部２２やウェブブラウザ２４に供給する。また、無線部２１は、送信部２１から供給される送信信号にＤ／Ａ（Digital-Analog）変換処理及び変調処理を施した後、アップコンバートし、アンテナ２を介して基地局に送信する。
【００３０】
受信部２２は、ＣＤＭＡ無線部２１から供給されるチップレートのデジタル信号に対して逆拡散処理及び位相補正処理を施すなどして、シンボルレートの受信信号を取得して、音声出力部５０に供給する。
【００３１】
送信部２３は、音声入力部６０から供給される送信信号に対してエラー訂正符号化処理、物理チャネルへのマッピング処理、及び拡散処理を施した後、ＣＤＭＡ無線部２１に供給する。
【００３２】
ウェブブラウザ２４は、制御部１０のＣＰＵによって実行されるソフトウェアであり、ユーザにより指定されたウェブページＰへのアクセスを可能ならしめるものである。本実施形態のウェブブラウザ２４は、汎用コンピュータに用いられるウェブブラウザであり、ウェブページＰにアクセスして、ＨＴＭＬ(Hyper Text Markup Language)ファイル形式のコンテンツデータのダウンロードを可能ならしめるものである。
【００３３】
操作イベント解析部３０は、操作部３における操作を認識して制御部１０に入力するものである。
【００３４】
画面生成部４０は、ワークメモリとして機能する表示メモリ４００を備え、表示部４に表示する画像を生成するものである。
【００３５】
音声出力部５０は、音声データ処理部５１と、Ｄ／Ａ変換器５２と、から構成されている。音声出力部５０は、受信部２２から供給される受信信号に対し、音声データ処理部５１にてデコード処理を施し、Ｄ／Ａ変換器５２にてアナログ信号に変換してスピーカ５から出力することによって、通話相手方の音声を再生する。
【００３６】
音声入力部６０は、符号化処理部６１と、Ａ／Ｄ変換器６２と、から構成されている。音声入力部６０は、マイクロフォン６から入力される音声をＡ／Ｄ変換器６２にてデジタル信号に変換し、符号化処理部６１にてエンコード処理を施して、シンボルレートの送信信号を生成して送信部２３に供給する。
【００３７】
記憶部７０は、例えばＳＤ（Secure Digital）メモリカード等から構成され、それには、ページメモリ７１、キャッシュメモリ７２、及びデータフォルダ７３といったメモリ領域が形成されている。
【００３８】
ページメモリ７１は、待受け画面として登録したウェブページＰのコンテンツデータをＨＴＭＬファイル形式のまま記憶するものである。
【００３９】
キャッシュメモリ７２は、ページメモリ７１に待受け画面として登録したウェブページＰと同一のコンテンツを有効期間（キャッシュ保持期間）、一時的に記憶するものである。
【００４０】
データフォルダ７３は、待受け画面メモリ７３０を備え、待受け画面メモリ７３０には、ＨＴＭＬファイル形式から待受け画面として表示可能なＢＭP（Bit Map）ファイル形式等に変換されたコンテンツデータが登録される。
【００４１】
ウェブページ更新部８０は、ユーザが所望のウェブページＰを待受け画像として登録することを指示したときに、ウェブサーバＳからこのコンテンツデータをダウンロードすると共に、ウェブブラウザ２４からそのＵＲＬ（Uniform Resource Locator）を取得する。また、ウェブページ更新部８０は、後述する更新時間算出部８１にて算出された更新時刻になると、ウェブサーバＳからウェブページＰのコンテンツデータを再度ダウンロードして、待受け画面として登録したウェブページＰを更新する。
【００４２】
更新時間算出部８１は、キャッシュメモリ７２から取得したデータが示すキャッシュ保持時間と、現在の時刻と、に基づいて、待受け画面として登録されたウェブページＰの更新時刻を求めるものである。
【００４３】
更新属性テーブル８２は、図４に示すように、待受け画面として登録したウェブページＰのタイトル名及びＵＲＬと、更新時間算出部８１にて算出された更新時間と、コンテンツデータにおけるキャッシュ保持時間の記述の有無を示すフラグの値と、を対応付けて登録するものである。係るフラグは、コンテンツデータにキャッシュ保持時間の記述がある場合、オン状態にセットされ、記述がない場合は、オフ状態となる。即ち、コンテンツデータにキャッシュ保持時間の記述がある場合、フラグの値は、「１」となり、記述がない場合には、「０」となる。
【００４４】
次に、上記構成を備える移動体通信端末１の具体的動作について説明する。
【００４５】
まず、移動体通信端末１が実行する待受け画面登録処理につき、図面を参照して説明する。図５は、待受け画面登録処理の詳細を示すフローチャートである。操作部３に設けられた「インターネットサービス要求ボタン」がユーザによって押下されると、表示部４には、インターネットサービスメニューが表示される。ここで、インターネットサービスメニュ−とは、ウェブブラウザ２４を起動する前に種々の設定の変更処理や、インターネット接続の入り口などを構成するものである。表示部４に表示されたインターネットサービスメニューのうちからユーザがトップメニューを選択すると、制御部１０は、インターネットへの接続を開始すると共に、ウェブブラウザ２４を起動してウェブページＰの閲覧サービスを開始する。
【００４６】
ユーザは、図５に示すように、まず、操作部３にＵＲＬを入力する等してウェブページＰのブラウジングを行い（ステップＳ１）、待受け画面として登録したいウェブページＰを閲覧したとき（ステップＳ２；Ｙｅｓ）、図６（Ａ）に示す「サブメニュー」を選択する。本実施形態では、ユーザにより株式速報のウェブページＰが待受け画面として選択される。
【００４７】
制御部１０は、ユーザによって「サブメニュー」が選択されるとき（ステップＳ３；Ｙｅｓ）、図６（Ｂ）に示すように、表示部４にウェブサービスメニューを表示させる（ステップＳ４）。なお、ユーザによって「戻る」が選択されたときには（ステップＳ３；Ｎｏ）、「トップメニュー」へと戻り（ステップＳ５）、待受け画面登録処理を終了する。
【００４８】
続いて、表示部４に表示されたウェブサービスメニューのうちからユーザが「待受け画面の登録」を選択すると（ステップＳ６；Ｙｅｓ）、制御部１０は、図６（Ｃ）に示すように、表示部４に登録確認表示画面を表示させる（ステップＳ７）。このとき、ユーザは、操作部３を操作して、タイトル名（例えば「株式速報」）を入力する。この入力されたタイトル名は、ＲＡＭ等に設けられたタイトル名格納領域に格納される。なお、ユーザがタイトル名を入力しないときは、例えば「新規待受け画面−１」等、所定のタイトル名が設定されるようにしてもよい。
【００４９】
他方、表示部４に表示されたブラウザメニューのうちからユーザが「待受け画面の登録」以外の項目（例えば「お気に入り登録」や、「データフォルダ保存」、「ＵＲＬダイレクト入力」等）を選択したときには（ステップＳ６；Ｎｏ）、選択された項目に応じた処理を実行して（ステップＳ８）、待受け画面登録処理を終了する。
【００５０】
そして、表示部４に表示された登録の確認に対し、ユーザが「登録」を選択すると（ステップＳ９；Ｙｅｓ）、制御部１０は、ウェブページ更新部８０を制御して、ユーザによって選択されたウェブページＰを待受け画面として登録するコンテンツ保存処理を実行させる（ステップＳ１０）。他方、登録の確認に対し、ユーザが登録しないことを選択したときには（ステップＳ９；Ｎｏ）、「トップメニュー」へと戻る（ステップＳ５）。
【００５１】
ステップＳ１０のコンテンツ保存処理が完了すると、制御部１０は、図６（Ｄ）に示すように、「待受け画面に登録しました」といったポップアップメッセージ（ＭＳＧ）画面を、所定の時間、表示部４に表示させて、ユーザに待受け画面の登録が完了したことを通知する（ステップＳ１１）。その後、制御部１０は、図６（Ｅ）に示すように、登録されたウェブページＰを待受け画面として表示部４に表示させて（ステップＳ１２）、待受け画面登録処理を終了する。
【００５２】
図７は、ステップＳ１０にて実行されるコンテンツ保存処理の詳細を示すフローチャートである。このコンテンツ保存処理において、ウェブページ更新部８０は、図７に示すように、まず、ＲＡＭ等に設けられたタイトル名格納領域からウェブページＰのタイトル名を読み出して取得すると共に（ステップＳ１０１）、ウェブサーバＳからダウンロードしたウェブページＰのコンテンツデータをＨＴＭＬ形式のまま、ページメモリ７１に保存する（ステップＳ１０２）。
【００５３】
次に、ウェブページ更新部８０は、ウェブブラウザ２４に対し、ＵＲＬの取得要求のコマンドを発行するなどして（ステップＳ１０３）、ウェブブラウザ２４に保持され、表示部４に現在表示されているウェブページＰのコンテンツのリンク先の記述（例えば「＜a href=http://www.ＡＢＣＤ.com>ＫＫＫ</a>」等）から、ウェブページＰのＵＲＬ（例えばhttp://www.ＡＢＣＤ.com）を取得する（ステップＳ１０４）。そして、ウェブページ更新部８０は、ステップＳ１０１の処理にて取得したタイトル名と、ステップＳ１０４の処理にて取得したＵＲＬと、を更新属性テーブル８２にセットする（ステップＳ１０５）。
【００５４】
続いて、ウェブページ更新部８０は、キャッシュメモリ７２に一時的に格納されたコンテンツデータにキャッシュ保持時間を示すデータが記憶されているか否かをチェックすることにより、ウェブページＰのコンテンツデータにキャッシュ保持時間の記述があるか否かを判別し（ステップＳ１０６）、記述がある場合には（ステップＳ１０６；Ｙｅｓ）、更新属性テーブル８２に設けられたフラグをオン状態にセットして、その値を「１」にする（ステップＳ１０７）。
【００５５】
そして、ウェブページ更新部８０は、キャッシュメモリ７２からキャッシュ保持時間を示すデータを取得し（ステップＳ１０８）、更新時間算出部８１を制御して、更新時刻を算出させる（ステップＳ１０９）。このとき、更新時間算出部８１は、キャッシュメモリ７２から取得したデータ（例えば＜meta http−equiv=”Cache-Control” content=”max-age=3600”/＞）が示すキャッシュ保持時間（例えば１時間（＝３６００秒））と、現在の時刻（例えば１５：００）と、に基づいて、次回コンテンツデータを取得して待受け画面を更新する時刻（１６：００）を求める。
【００５６】
ウェブページ更新部８０は、この更新時間算出部８１により算出されたウェブページＰの更新時刻（換算時刻）を更新属性テーブル８２にセットする（ステップＳ１１０）。他方、ウェブページＰのコンテンツデータにキャッシュ保持時間の記述がない場合には（ステップＳ１０６；Ｎｏ）、更新属性テーブル８２にＮｕｌｌコードをセットする（ステップＳ１１１）。
【００５７】
その後、ウェブページ更新部８０は、ページメモリ７１に保存したウェブページＰのコンテンツデータをＨＴＭＬ形式からＢＭＰ形式に変換して（ステップＳ１１２）、データフォルダ７３にある待受け画面メモリ７３０に登録する（ステップＳ１１３）。
【００５８】
以上までの処理がコンテンツ保存処理である。
次に、移動体通信端末１が実行する更新時間設定処理につき、図面を参照して説明する。図８は、更新時間設定処理の詳細を示すフローチャートである。操作部３に設けられた「インターネットサービス要求ボタン」がユーザによって押下されると、表示部４には、図９（Ａ）に示すように、メインメニューが表示される（ステップＳ２１）。
【００５９】
次に、表示部４に表示されたメインメニューのうちからユーザが「待受け更新時間」を選択すると（ステップＳ２２；Ｙｅｓ）、制御部１０は、図９（Ｂ）に示すように、表示部４に待受け画面の更新時間の設定を行うメニュー（更新メニュー）画面を表示させる（ステップＳ２３）。
【００６０】
他方、表示部４に表示されたメインメニューのうちからユーザが「待受け更新時間」以外の項目（例えば「トップメニュー」や、「お気に入り」、「ＵＲＬダイレクト入力」、「前回画面表示」、「データフォルダ」等）を選択したときには（ステップＳ２２；Ｎｏ）、選択された項目に応じた処理を実行して（ステップＳ２４）、更新時間設定処理を終了する。
【００６１】
表示部４に表示された更新メニューのうちからユーザが、更新属性テーブル８２にセットされた更新時刻に従って待受け画面を更新する「コンテンツ依存」モードを選択したときには（ステップＳ２５；Ｙｅｓ）、更新属性テーブル８２に設けられたフラグをチェックすることにより、更新属性テーブル８２に更新時刻がセットされているか否かを判別する（ステップＳ２６）。具体的には、更新属性テーブル８２のフラグが「１」のときは、更新時刻がセットされていると判別され、「０」のときには、セットされていないものと判別する。
【００６２】
更新時刻がセットされている場合（ステップＳ２６；Ｙｅｓ）、制御部１０は、図９（Ｃ）に示すように、「待受け更新時間設定しました」といったポップアップＭＳＧ画面を表示部４に表示させて、ユーザに待受け画面の更新時間の設定が完了したことを通知して（ステップＳ２７）、更新時間設定処理を終了する。他方、更新時刻がセットされていない場合には（ステップＳ２６；Ｎｏ）、表示部４に待受け更新時間の設定ができない旨のポップアップＭＳＧを表示させて（ステップＳ２８）、ステップＳ２３の処理へとリターンして、ユーザに「コンテンツ依存」とは異なる更新モードの選択を促す。
【００６３】
また、更新メニューのうちからユーザが、自ら設定した更新時刻に従って待受け画面を更新する「ユーザ設定」モードを選択したときには（ステップＳ２５；Ｎｏ，ステップＳ２９；Ｙｅｓ）、図９（Ｄ）に示すように、表示部４に更新時間の入力画面を表示させる（ステップＳ３０）。
【００６４】
そして、ユーザにより更新時間（「時間」及び「分」）が入力された後（ステップＳ３１；Ｙｅｓ）、「ＯＫ」が選択されると（ステップＳ３２；Ｙｅｓ）、制御部１０は、ウェブページ更新部８０を制御して、ユーザにより入力された時刻を更新属性テーブル８２にセットさせる（ステップＳ３３）。
【００６５】
例えば１５：００に、更新時間として「３０分」を設定した場合、２０分後の１５：２０においては、未だウェブページＰが更新されていないため、表示部４に表示されるウェブページＰは、図１０（Ａ）に示すように、１５：００現在のままとなる。これに対し、４０分後の１５：４０においては、１５：３０にウェブページＰの更新がなされるため、図１０（Ｂ）に示すように、表示部４には、１５：３０現在のウェブページＰが表示される。
【００６６】
その後、ステップＳ２７の処理へと進み、図９（Ｃ）に示すポップアップＭＳＧ画面を表示部４に表示させて、更新時間設定処理を終了する。
【００６７】
他方、更新メニューのうちからユーザがページメモリ７１に格納されている待受け画面のまま「更新しない」モードを選択したときには（ステップＳ２５；Ｎｏ，ステップＳ２９；Ｎｏ，ステップＳ３４；Ｙｅｓ）、ウェブページ更新部８０を制御して、更新属性テーブル８２にＮｕｌｌコードをセットさせる（ステップＳ３５）。その後、ステップＳ２７の処理へと進み、図９（Ｃ）に示すポップアップＭＳＧ画面を表示部４に表示させて、更新時間設定処理を終了する。
【００６８】
以上までの処理が更新時間設定処理である。
続いて、移動体通信端末１が実行する待受け更新処理につき、図面を参照して説明する。図１１は、待受け更新処理の詳細を示すフローチャートである。制御部１０は、待受け画面登録処理にて登録したウェブページＰを待受け画面として表示部４に表示させると共に（ステップＳ４１）、ウェブページ更新部８０を制御して以下の処理を実行させる。
【００６９】
ウェブページ更新部８０は、まず、更新属性テーブル８２に更新時間がセットされているか否か、換言すればＮｕｌｌコードがセットされていないか否かを判別し（ステップＳ４２）、Ｎｕｌｌコードがセットされている場合には（ステップＳ４２；Ｎｏ）、ウェブページＰの更新を行わないように設定されているものと判断して、そのまま待受け更新処理を終了する。
【００７０】
他方、更新時間がセットされている場合には（ステップＳ４２；Ｙｅｓ）、所定の内蔵タイマの値をチェックする等して、更新時刻になったか否かを判別し（ステップＳ４３）、更新時刻になるまで待つ（ステップＳ４３；Ｙｅｓ）。
【００７１】
ウェブページ更新部８０は、更新時刻になると（ステップＳ４３；Ｙｅｓ）、インターネットへの接続を開始すると共に、更新属性テーブル８２にセットされたＵＲＬのウェブページＰへアクセスして（ステップＳ４４）、ウェブサーバＳから更新されたウェブページＰのコンテンツデータを再度取得し、ページメモリ７１に上書き保存する（ステップＳ４５）。
【００７２】
続いて、ウェブページ更新部８０は、キャッシュメモリ７２からキャッシュ保持時間を示すデータを取得し（ステップＳ４６）、更新時間算出部８１を制御して、更新時刻を算出させる（ステップＳ４７）。ウェブページ更新部８０は、この更新時間算出部８１により算出されたウェブページＰの更新時刻を更新属性テーブル８２にセットする（ステップＳ４８）。
【００７３】
そして、ウェブページ更新部８０は、ページメモリ７１に保存したウェブページＰのコンテンツデータをＨＴＭＬ形式からＢＭＰ形式に変換して（ステップＳ４９）、データフォルダ７３にある待受け画面メモリ７３０に登録することによって、待受け画面として登録されているコンテンツデータを更新する（ステップＳ５０）。
【００７４】
上記ウェブページ更新部８０の処理によってコンテンツデータが更新されると、制御部１０は、所定の時間経過後、「待受け画面に登録しました（或いは待受け画面が更新されました）」といったポップアップＭＳＧ画面を表示部４に表示させて、ユーザに待受け画面の登録が完了したこと（或いは待受け画面の更新が完了したこと）を通知する（ステップＳ５１）。その後、制御部１０は、更新されたウェブページＰを待受け画面として表示部４に表示させて（ステップＳ５２）、待受け更新処理を終了する。
【００７５】
以上までの処理が待受け更新処理である。
以上説明したように、本実施形態に係る移動体通信端末１は、待受け画像登録処理において、待受け画面として登録するウェブページＰのコンテンツデータにキャッシュ保持時間の記述があるか否かを判別し、記述がある場合には、キャッシュ保持時間と現在の時刻とに基づいて、次回コンテンツデータを取得して待受け画面を更新する時刻を求め、更新属性テーブル８２にセットする。
【００７６】
具体的には、現在の時刻（例えば１５：００）、換言すればウェブページＰを待受け画面として登録する時刻から、キャッシュ保持時間（例えば１時間）後の時刻（例えば１５：００）を、待受け画面の更新時刻として求め、更新属性テーブル８２にセットする。
【００７７】
そして、移動体通信端末１は、更新属性テーブル８２にセットされた更新時刻（例えば１６：００）になると、待受け更新処理において、ウェブサーバＳから更新されたウェブページＰのコンテンツデータを再度取得し、ＨＴＭＬ形式からＢＭＰ形式に変換した後、待受け画面メモリ７３０に登録することによって、表示部４に表示される待受け画面を更新することができる。
【００７８】
このように、移動体通信端末１は、コンテンツデータに記述されているキャッシュ保持時間に基づいて算出した更新時刻に、ウェブサーバＳからコンテンツデータを再度取得して待受け画面メモリ７３０の内容を更新することができるため、待受け画面として登録されたウェブページＰを適宜更新して行くことができる。
【００７９】
また、移動体通信端末１は、更新時刻設定処理において、「ユーザ設定」モードが選択された場合、ユーザにより入力された更新時間毎に、ウェブサーバＳからコンテンツデータを取得して、表示部４に表示される待受け画面を更新することができる。このため、例えばキャッシュ保持時間が短く、インターネットの接続頻度が過多になる場合等に、ユーザがキャッシュ保持時間よりも長い時間を更新時間として設定することで、移動体通信端末１の使用に弊害が生じることを防止することが可能になる。
【００８０】
さらに、ユーザは、更新時刻設定処理において、「更新しない」モードを選択することにより、待受け画像の更新を規制することもできる。
【００８１】
なお、本発明は、上記実施形態に限定されず、種々の変形、応用が可能である。以下、本発明に適用可能な上記実施形態の変形態様について、説明する。
【００８２】
上記実施形態において、ウェブページ更新部８０は、コンテンツ保存処理において、ウェブサーバＳから取得したコンテンツデータにキャッシュ保持時間の記述があるか否かを判別し、キャッシュ保持時間がない場合には、更新属性テーブル８２にＮｕｌｌデータをセットしていた。
【００８３】
しかしながら、本発明は、これに限定されず、例えば予め設定されている更新時刻や、係るコンテンツ保存処理の実行前に更新時間設定処理にてユーザが入力した更新時刻を更新属性テーブル８２にセットするようにしてもよい。このようにすれば、その後ユーザが更新時間設定処理にて更新時刻を設定しなくても、ウェブページ更新部８０は、表示部４に表示される待受け画面を定期的に更新して行くことができる。
【００８４】
また、ウェブページ更新部８０は、コンテンツ保存処理のステップＳ１０６でキャッシュ保持時間がないと判断した場合（ステップＳ１０６；Ｎｏ）、更新時間設定処理のステップＳ３０に遷移して表示部４に更新時間の入力画面を表示させ、ユーザに更新時間の入力を促すようにしてもよい。そして、ユーザにより更新時間が入力された場合には、この入力された更新時間を更新属性テーブル８２にセットして、セットされた更新時間毎に、ウェブサーバＳからコンテンツデータを取得して待受け画面を更新するようにすればよい。
【００８５】
さらに、上記実施形態において、待受け画面として、株式速報のウェブページＰを登録していたが、本発明は、これに限定されず、例えばニュース速報やプロ野球速報等、定期的或いは不定期的に更新されるウェブページであれば任意である。
【００８６】
また、上記実施形態にかかるウェブページ更新部８０や更新時間算出部８２等の構成は、ハードウェアによって実現可能であることはもとより、制御部１０のソフトウェア処理によって実現されてもよい。この場合、制御部１０を上記ウェブページ更新部８０及び更新時間算出部８２等として機能させ、上述した各処理を実現するためのプログラムを移動体通信端末１内（例えば、記憶部７０）に格納し、制御部１０がこのようなプログラムを実行するようにすればよい。
【００８７】
そして、このようなプログラムが予め組み込まれた移動体通信端末１として提供可能なことはもとより、既存の移動体通信端末に上記プログラムを適用することで、上記実施形態にかかる移動体通信端末１として機能させることもできる。
【００８８】
このようなプログラムの提供方法は任意であり、例えば、インターネットなどの通信媒体を介して提供可能である他、例えば、メモリカードなどの記録媒体に格納して配布してもよい。
【図面の簡単な説明】
【００８９】
【図１】本発明の実施形態に係る移動体通信端末を中心としたシステム構成を示すブロック図である。
【図２】図１に示す移動体通信端末の外観構成例を示す図である。
【図３】図１に示す移動体通信端末の内部構成例を示すブロック図である。
【図４】図３に示す更新属性テーブルの構成例を示す図である。
【図５】待受け画面登録処理の詳細を示すフローチャートである。
【図６】図５に示す待受け画面登録処理の実行時における画面表示例を示す図である。
【図７】図５に示すコンテンツ保存処理の詳細を示すフローチャートである。
【図８】更新時間設定処理の詳細を示すフローチャートである。
【図９】図８に示す更新時間設定処理の実行時における画面表示例を示す図である。
【図１０】待受け画面の更新タイミングを説明するための図である。
【図１１】待受け更新処理の詳細を示すフローチャートである。
【符号の説明】
【００９０】
１…移動体通信端末、３…操作部、４…表示部、１０…制御部、７１…ページメモリ、７２…キャッシュメモリ、８０…ウェブページ更新部、８１…更新時間算出部、８２…更新属性テーブル、７３０…待受け画面フォルダ
【図１】
2006163935.tif 000003
【図２】
2006163935.tif 000004
【図３】
2006163935.tif 000005
【図４】
2006163935.tif 000006
【図５】
2006163935.tif 000007
【図６】
2006163935.tif 000008
【図７】
2006163935.tif 000009
【図８】
2006163935.tif 000010
【図９】
2006163935.tif 000011
【図１０】
2006163935.tif 000012
【図１１】
2006163935.tif 000013